(57)【要約】【課題】本発明は、本体ケースの奥行き寸法を大きくすることなく給紙トレイを開口部から挿入する動作に連動して開口部を開放できると共に、開口部から挿入した給紙トレイと開口部との間にできる隙間を目隠しすることが可能なプリンタを提供すること。【解決手段】本発明のプリンタは、開口部２が、折り畳み支点である連結部４ｂ、５ａを中心として、くの字状に折り畳み可能なカバー４、５により開閉可能とされ、給紙トレイ８を開口部２から本体ケース１の内部に挿入する動作に連動して、開口部２を閉じた状態のカバー４、５は、連結部４ｂ、５ａが開口部２の外側に移動すると共に、くの字状に折り畳まて開口部２が開放されるようになっている。【選択図】        図１
2005029282.tif 000002
【特許請求の範囲】
【請求項１】
内部に印刷手段を有する本体ケースと、この本体ケースの一部に形成された開口部と、この開口部から挿入して前記印刷手段に記録媒体を給紙可能な給紙トレイとを備え、
前記開口部は、折り畳み支点を中心としてくの字状に折り畳み可能なカバーにより開閉可能とされ、前記給紙トレイを前記開口部から本体ケース内部に挿入する動作に連動して、前記開口部を閉じた状態の前記カバーは、前記折り畳み支点が前記開口部の外側に移動すると共に前記くの字状に折り畳まれて前記開口部が開放されるようにしたことを特徴とするプリンタ。
【請求項２】
前記開口部は、前記カバーを構成する上部と下部のカバーにより開閉可能とされ、前記上部カバーは、上端部寄りに形成した回動支持部が前記本体ケースに回動自在に支持され、前記下部カバーは、前記上部カバーの下端部寄りに形成した前記折り畳み支点である連結部に連結され、
前記給紙トレイを前記本体ケース内部に挿入する動作に連動して、前記下部カバーが前記上部カバー側に移動すると共に前記上部カバーが前記回動支持部を支点として回動して、前記連結部が前記開口部の外側に移動するようにしたことを特徴とする請求項１記載のプリンタ。
【請求項３】
前記下部カバーには、幅方向の端面から外向きにガイド突起が形成され、前記本体ケースには、前記ガイド突起が係合してスライド可能なカム溝が形成されていることを特徴とする請求項２記載のプリンタ。
【請求項４】
前記給紙トレイの先端部には、前記下部カバーを前記上部カバー側に押し上げ可能なカム部が形成されていることを特徴とする請求項２または３記載のプリンタ。
【請求項５】
前記下部カバーは、前記ガイド突起より下部側の下端部近傍が前記本体ケースの上部側に係止した弾性部材に弾性付勢され、前記上部と下部のカバーが前記開口部を閉じた状態におて、前記給紙トレイを前記開口部に挿入する動作で、前記カム部が前記下部カバーの前記下端部側を押し上げることにより、前記下部カバーが前記弾性部材の付勢力で上方に引っ張られて、前記上部と下部のカバーが前記くの字状に折り畳まれるようにしたことを特徴とする請求項３または４記載のプリンタ。
【請求項６】
前記上部カバーは、前記開口部を閉じる方向に付勢部材で弾性付勢され、前記上部カバーと前記下部カバーが前記開口部を閉じた状態において、前記給紙トレイを前記開口部に挿入する動作で、前記下部カバーの前記下端部が、前記付勢部材の付勢力に抗して前記給紙トレイの前記カム部に沿って押し上げられて、前記上部と下部のカバーが前記くの字状に折り畳まれるようにしたことを特徴とする請求項３または４記載のプリンタ。
【請求項７】
前記開口部から前記本体ケースの内部に挿入した前記給紙トレイを、前記本体ケースの外部に排出すると、前記付勢部材の付勢力で前記上部と下部のカバーが前記開口部を閉じるようにしたことを特徴とする請求項６記載のプリンタ。
【請求項８】
前記開口部を閉じた状態の前記上部と下部のカバーは、前記弾性部材または前記付勢部材の付勢力で、前記連結部を中心として逆くの字状になる方向に弾性付勢され、この時の前記上部カバーには、前記連結部より下部側に延出させて当接部が形成され、
この当接部が、前記下部カバーの前記連結部と前記ガイド突起との間に当接することにより、前記上部と下部のカバーが前記逆くの字状になる方向に弾性付勢されて、前記開口部が閉じられるようにしたことを特徴とする請求項５乃至７記載のいずれかに記載のプリンタ。
【請求項９】
前記付勢部材は、捻りコイルバネからなることを特徴とする請求項６乃至８のいずれかに記載のプリンタ。
【発明の詳細な説明】
【０００１】
【発明の属する技術分野】
本発明は、複数の記録用紙を収納した給紙トレイを、本体ケースに形成した開口部から着脱可能なプリンタに関する。
【０００２】
【従来の技術】
従来のプリンタは、図７に示すように、本体ケース３１の空洞内部には、例えば印字ヘッドおよびプラテンローラ等を有する印刷手段が形成され、この印刷手段に搬送された記録用紙に印字ヘッドで所望の画像を印刷可能になっている。
前記本体ケース３１の側板には、区述する給紙トレイ３３が挿入可能な矩形状の開口部３１ａが所定の大きさに形成されている。
また、開口部３１ａには、開口部３１ａを開閉可能なカバー３２が、寸法Ａの高さに形成されて配設されている。
【０００３】
前記カバー３２は、下方側に回動支持部３２ａが形成され、この回動支持部３２ａが、本体ケース３１の下板３１ｂ側で開口部３１ａを形成した部分に、回動自在に支持されている。
また、カバー３２は、回動支持部３２ａが捻りコイルバネ（図示せず）等で、開口部３１ａを閉じる方向である直立する方向に弾性付勢されている。
そして、カバー３２が開口部３１ａを閉じた状態から、開矢印Ｂ方向に回動することにより、開口部３１ａが開放されるようになっている。
また、カバー３２と対向する本体ケース３１の外側には、複数の記録用紙を収納する箱状の給紙トレイ３３が配設されている。
【０００４】
そして、開口部３１ａの外側に位置する給紙トレイ３３を矢印Ｃ方向にスライドさせると、給紙トレイ３３の先端部３３ａがカバー３２を押圧して、矢印Ｂ方向に回動させて下板３１ｂと平行になるように傾倒する。
同時に、給紙トレイ３３の先端部３３ａが、下板３１ｂと平行に傾倒したカバー３２上をスライドして、給紙トレイ３３が本体ケース３１内部の印刷手段近傍まで挿入されて装着される。
そして、記録用紙を印刷手段に搬送可能に本体ケース３１内部に装着される。
【０００５】
また、給紙トレイ３２内部に収納している記録用紙を紙送りローラ（図示せず）等で印刷手段に搬送可能になっている。
また、本体ケース３１内部に装着した給紙トレイ３３は、矢印Ｄ方向に牽引することにより、本体ケース３１外部に取り出し可能になっており、開口部３１ａから給紙トレイ３３を外部に取り出すと、カバー３２が弾性復帰して直立状となり、開口部３１ａが閉じられるようになっている。
【０００６】
【特許文献１】特開平０７−３０９５６７号公報
特開平０９−２９２８１５号公報
【０００７】
【発明が解決しようとする課題】
しかし、前述したような従来のプリンタは、高さがＡ寸法のカバー３２が、本体ケース３１の内側に回動するために、本体ケースの奥行き寸法が、カバー３２の回動寸法（Ａ寸法）分大きくなり、従来のプリンタが大きくなる問題があった。
また、給紙トレイ３３と開口部３１ａの上端面との間には、印刷後の記録用紙を外部に排出するための所定寸法の隙間が形成されていた。
そのために、この隙間からプリンタ内部にゴミ等が侵入して、印刷時に不具合が発生するおそれがあった。
【０００８】
本発明は、前述したような課題を解決して、本体ケースの奥行き寸法を大きくすることなく給紙トレイを開口部から挿入する動作に連動して開口部を開放できると共に、開口部から挿入した給紙トレイと開口部との間にできる隙間を目隠しすることが可能なプリンタを提供することを目的とする。
【０００９】
【課題を解決するための手段】
前記課題を解決するための第１の手段として本発明のプリンタは、内部に印刷手段を有する本体ケースと、この本体ケースの一部に形成された開口部と、この開口部から挿入して前記印刷手段に記録媒体を給紙可能な給紙トレイとを備え、前記開口部は、折り畳み支点を中心としてくの字状に折り畳み可能なカバーにより開閉可能とされ、前記給紙トレイを前記開口部から本体ケース内部に挿入する動作に連動して、前記開口部を閉じた状態の前記カバーは、前記折り畳み支点が前記開口部の外側に移動すると共に前記くの字状に折り畳まれて前記開口部が開放されるようにしたことを特徴とする。
【００１０】
また、前記課題を解決するための第２の手段として、前記開口部は、前記カバーを構成する上部と下部のカバーにより開閉可能とされ、前記上部カバーは、上端部寄りに形成した回動支持部が前記本体ケースに回動自在に支持され、前記下部カバーは、前記上部カバーの下端部寄りに形成した前記折り畳み支点である連結部に連結され、
前記給紙トレイを前記本体ケース内部に挿入する動作に連動して、前記下部カバーが前記上部カバー側に移動すると共に前記上部カバーが前記回動支持部を支点として回動して、前記連結部が前記開口部の外側に移動するようにしたことを特徴とする。
【００１１】
また、前記課題を解決するための第３の手段として、前記下部カバーには、幅方向の端面から外向きにガイド突起が形成され、前記本体ケースには、前記ガイド突起が係合してスライド可能なカム溝が形成されていることを特徴とする。
【００１２】
また、前記課題を解決するための第４の手段として、前記給紙トレイの先端部には、前記下部カバーを前記上部カバー側に押し上げ可能なカム部が形成されていることを特徴とする。
【００１３】
また、前記課題を解決するための第５の手段として、前記下部カバーは、前記ガイド突起より下部側の下端部近傍が前記本体ケースの上部側に係止した弾性部材に弾性付勢され、前記上部と下部のカバーが前記開口部を閉じた状態におて、前記給紙トレイを前記開口部に挿入する動作で、前記カム部が前記下部カバーの前記下端部側を押し上げることにより、前記下部カバーが前記弾性部材の付勢力で上方に引っ張られて、前記上部と下部のカバーが前記くの字状に折り畳まれるようにしたことを特徴とする。
【００１４】
また、前記課題を解決するための第６の手段として、前記上部カバーは、前記開口部を閉じる方向に付勢部材で弾性付勢され、前記上部カバーと前記下部カバーが前記開口部を閉じた状態において、前記給紙トレイを前記開口部に挿入する動作で、前記下部カバーの前記下端部が、前記付勢部材の付勢力に抗して前記給紙トレイの前記カム部に沿って押し上げられて、前記上部と下部のカバーが前記くの字状に折り畳まれるようにしたことを特徴とする請求項３または４記載のプリンタ。
【００１５】
また、前記課題を解決するための第７の手段として、前記開口部から前記本体ケースの内部に挿入した前記給紙トレイを、前記本体ケースの外部に排出すると、前記付勢部材の付勢力で前記上部と下部のカバーが前記開口部を閉じるようにしたことを特徴とする。
【００１６】
また、前記課題を解決するための第８の手段として、前記開口部を閉じた状態の前記上部と下部のカバーは、前記弾性部材または前記付勢部材の付勢力で、前記連結部を中心として逆くの字状になる方向に弾性付勢され、この時の前記上部カバーには、前記連結部より下部側に延出させて当接部が形成され、
この当接部が、前記下部カバーの前記連結部と前記ガイド突起との間に当接することにより、前記上部と下部のカバーが前記逆くの字状になる方向に弾性付勢されて、前記開口部が閉じられるようにしたことを特徴とする。
【００１７】
また、前記課題を解決するための第９の手段として、前記付勢部材は、捻りコイルバネからなることを特徴とする。
【００１８】
【発明の実施の形態】
以下、本発明のプリンタを図１〜図６に基づいて説明する。まず、図１、図２は本発明の第１の実施の形態に係わるカバーの動作を説明する要部断面図であり、図３は、本発明の第１の実施の形態に係わる給紙トレイを装着前のプリンタを示す概略図であり、図４は図３の要部断面図であり、図５は本発明の第１の実施の形態に係わる給紙トレイを装着したプリンタを示す概略図であり、図６は図５の要部断面図である。
【００１９】
まず、本発明の第１の実施の形態のプリンタＰは、図３に示すように、内部が空洞状の本体ケース１が配設され、この本体ケース１の図示手前側の第１側板１ａには、印字ヘッド（図示せず）およびプラテンローラ（図示せず）等からなる印刷手段（図示せず）を本体ケース１内部に着脱するための開放部１ｂが形成され、この開放部１ｂから印刷手段を取り出すことにより、印刷手段をメンテナンス可能になっている。
また、図２に示す本体ケース１の左側の第２側板１ｃには、後述する給紙トレイ８を挿入可能な、所定の大きさで矩形状の開口部２が開放形成され、この開口部２にカバー３が配設されて開口部２が開閉可能になっている。
【００２０】
前記開口部２は、図１に示すように、カバー３を構成する上部と下部のカバー４、５開閉可能になっている。
前記上部カバー４は、図１に示すように、上端部寄りの位置に形成した回動支持部４ａが、本体ケース１に回動自在に支持されている。また、回動支持部４ａの下部側で図示右方向に突出して、折り畳み支点である連結部４ｂが形成されている。
また、上部カバー４には、開口部２の上部側を開閉可能な平坦状の壁部４ｃが形成され、この壁部４ｃは、連結部４ｂより下部側に延出させた下端部に当接部４ｄが形成されている。この当接部４ｄは、上部カバー４の下端部を略Ｌ字状に図示右側に所定寸法突出形成されている。
【００２１】
また、下部カバー５は、図１に示すように、上端部に折り畳み支点である連結部５ａが形成され、この連結部５ａが上部カバー４の連結部４ｂに連結ピン５ｂで連結されている。
そして、折り畳み支点である、それぞれの連結部４ｂ、５ａを中心として、上部と下部のカバー４、５が、くの字状に折り畳み可能になっている。
また、下部カバー５は、図１に示す紙面に対して垂直方向の幅方向の端面から外向き（下部カバー５の幅方向）に突出させて、ガイド突起５ｃが形成されている。
また、図１に示す下部カバー５には、開口部２の下部側を開閉可能な平坦状の壁部５ｄが形成され、連結部５ａとガイド突起５ｃとの間の壁部５ｄを上部カバー４の当接部４ｄが当接可能になっている。
【００２２】
また、上部と下部のカバー４、５の幅方向の端面が対向する部分の、本体ケース１の第１側板１ａと第３側板１ｄには、図２に示すように、下部カバー５のガイド突起５ｃが上下方向にスライド可能に係合するカム溝６が形成されている。
また、上部カバー４の連結部４ｂに連結された下部カバー５は、下端部近傍が引っ張りコイルバネからなる弾性部材７の一端部が係止され、弾性部材７の他端部は、本体ケース１の第３側板１ｄの上方側の係止部１ｅに係止されて、下部カバー５の下端部側が常時上方側に弾性付勢されている。
【００２３】
このような構成の上部と下部のカバー４、５が、図１に示すように、開口部２を閉じた状態においては、弾性部材７が伸長し、それぞれの連結部４ｂ、５ａを連結する連結ピン５ｂが、伸長した弾性部材７より図示右側に位置する。
すると、上部カバー４の当接部４ｄが、下部カバー５の連結部５ａとガイド突起５ｃとの間の壁部５ｃに当接して、下部カバー５が２点差線で示す矢印Ｅ方向の逆くの字状になる方向に弾性付勢される。
【００２４】
しかし、下部カバー５は、ガイド突起５ｃがカム溝６に係合していると共にそれぞれの連結部４ｂ、５ａが連結ピン５ｂで連結されているので、上部と下部のカバー４、５は、弾性部材７で逆くの字状になる方向に弾性付勢された状態で動きが規制されるようになっている。
そのために、開口部２を閉じた状態で逆くの字状になる方向に弾性付勢された上部と下部のカバー４、５は、図２に示すような、くの字状に折り畳みされることがない。
また、開口部２から本体ケース１の内部に挿入して装着可能な給紙トレイ８は、図３、図４に示すように、外形が略矩形状のケース９を有し、このケース９内部の空洞部分に複数の記録用紙（図示せず）が収納可能になっている。
また、ケース９の先端部には、開口部２を閉じた状態の下部カバー５を上方に押し上げ可能な略円弧状に形成されたカム部９ａが形成されている。
【００２５】
このような構成の本発明のプリンタＰに、給紙トレイ８を着脱する動作を説明すると、まず、給紙トレイ８を開口部２に押す入する前の本体ケース１の開口部２は、上部と下部のカバー４、５が、図１に示すように、伸長した弾性部材７の付勢力で、逆くの字状になる方向に弾性付勢されて閉じられている。
この状態から、図５、図６に示すように、給紙トレイ８を矢印Ｆ方向に移動させると、逆くの字状に弾性付勢されている下部カバー５の下端部近傍がカム部９ａに押圧される。
【００２６】
このことにより、下部カバー５は、ガイド突起５ｃがカム溝６に案内されると共に、下端部が給紙トレイ８のカム部９ａで上方に押し上げられる。
すると、折り畳み支点であるそれぞれの連結部４ｂ、５ａが伸長状態の弾性部材７の図示左側の開口部２の外側に移動して、上部と下部のカバー４、５が素早く、図２に示すように、くの字状に折り畳みされる。
そして、開口部２が開放され、この開放された開口部２から本体ケース１内部に給紙トレイ８を挿入して装着する。
【００２７】
すると、給紙トレイ８の内部に収納している、記録用紙（図示せず）が給紙ローラ（図示せず）に圧接されて、給紙ローラの回転で記録用紙が１枚ずつ分離されて、印字ヘッドおよびプラテンローラ等からなる印刷手段に給紙可能になっている。
このような本発明の第１の実施の形態のプリンタＰは、本体ケース１に装着した給紙カセット８を矢印Ｇ方向に移動させて、本体ケース１内部から取り出すと、上部と下部のカバー４、５は、弾性部材７の付勢力で、くの字状を維持したままとなり、開口部２が開放された状態になっている。
【００２８】
そのために、給紙トレイ８を取り出し後に開放された開口部２を閉じるには、上部カバー４の下端部の当接部４ｄ付近を、弾性部材７の付勢力に抗して手作業で下方に押し下げることにより、折り畳み支点であるそれぞれの連結部４ｂ、５ａ中心として、上部と下部のカバー４、５が開く方向に回動すると共に、下部カバー５のガイド突起５ｃがカム溝６に沿って降下する。
このことにより、上部と下部のカバー４、５が、逆くの字状になる方向に弾性付勢されて、開口部２が閉じられる。
【００２９】
また、本発明の第２の実施の形態のプリンタ（図示せず）は、第１の実施の形態と同じ上部と下部のカバー４、５が開口部２に配設されている。そして、上部カバー４の回動支持部４ａに捻りコイルバネ等からなる付勢部材（図示せず）が配設されて、上部カバー４が開口部２を閉じる方向に常時弾性付勢されている。
前記付勢部材の付勢力により、上部と下部のカバー４、５は、逆くの字状になる方向に弾性付勢されて、給紙トレイ８を挿入してないときの開口部２は閉じられた状態になっている。
【００３０】
この閉じられた状態の開口部２に、給紙カセット８を矢印Ｆ方向に移動させて挿入する動作で、下部カバー５の下端部がカム部９ａの曲線に沿って上方に押し上げられて、上部と下部のカバー４、５は、付勢部材の付勢力に抗して、くの字状に折り畳まれる。
そして、下部カバー５の下端部がケース９の上面を摺接しながら給紙カセット８が本体ケース１の内部に挿入されて装着される。
前記下部カバー５を大きく上昇させたい場合には、カム部９ａの高さとケース９の互いに対向する側板の高さを高くすることにより、下部カバー５の上昇位置を高くして、開口部２を大きく開放するようにすることもできる。
【００３１】
このような本発明の第２の実施の形態のプリンタは、本体ケース１に装着した給紙カセット８を矢印Ｇ方向に移動させて本体ケース１内部から取り出すと、付勢部材の付勢力で、自動的に上部と下部のカバー４、５が開口部２を閉じる方向に移動する。
このことにより、上部と下部のカバー４、５が逆くの字状になる方向に弾性付勢されて開口部２が閉じられる。
このような本発明の第２の実施の形態のプリンタ（図示せず）は、開口部２を開閉する上部と下部のカバー４、５の操作を、給紙トレイ８の着脱動作に連動して行うことができ、第１の実施の形態のように、開口部２を閉じる動作を手作業でなくて良いので操作性が良い。
【００３２】
また、本発明の第１、第２の実施の形態のプリンタは、給紙トレイ８を開口部２から本体ケース１の内部に挿入する動作に連動して、折り畳み支点であるそれぞれの連結部４ｂ、５ａが、図６に示すように、開口部２の外側に移動する。
そのために、折り畳みされた上部と下部のカバー４、５が、本体ケース１の内部に侵入しないので、本体ケース１の内部を広く使うことができ、本体ケース１の奥行き寸法を小さくすることができる。
【００３３】
また、折り畳み支点である連結部４ｂ、５ａが、開口部２の外側に移動することにより、開口部２の外側に位置した上部と下部のカバー４、５が、開口部２に挿入した給紙トレイ８と開口部２との間にできる隙間を目隠しして、隙間からゴミ等の異物が侵入するのを防止することができる。
また、本発明の実施の形態では、開口部２の開閉するカバー３を、上部と下部のカバー４、５で説明したが、カバー（図示せず）は、１枚の板部材を、折り畳み支点を中心として、くの字状に折り畳みしたものでも良い。
尚、本発明のプリンタは、印字ヘッドがサーマルヘッドからなる熱転写プリンタ、あるいは印字ヘッドがインクジェットヘッドからなるインクジェットプリンタのどちらにも適用することができる。
【００３４】
【発明の効果】
以上述べたように本発明のプリンタは、給紙トレイを開口部から本体ケース内部に挿入する動作に連動して、開口部を閉じた状態のカバーは、折り畳み支点が開口部の外側に移動すると共にくの字状に折り畳まれて開口部が開放されるので、
くの字状に折り畳まれた上部と下部のカバーが、本体ケースの内部に侵入しないので、本体ケースの内部を広く使うことができ、本体ケースの奥行き寸法を小さくすることができる。
また、くの字状に折り畳まれた上部と下部のカバーが、給紙トレイと開口部との間にできる隙間を目隠しして、開口部からゴミ等の異物が侵入するのを防止することができる。
【００３５】
また、給紙トレイを本体ケース内部に挿入する動作に連動して、下部カバーが上部カバー側に移動すると共に上部カバーが回動支持部を支点として回動して、連結部が前記開口部の外側に移動するようにしたので、カバーを上部と下部の２枚のカバーで構成することにより、開口部の開閉が容易となり、操作性に優れたプリンタを提供できる。
【００３６】
また、下部カバーには、幅方向の端面から外向きにガイド突起が形成され、本体ケースには、ガイド突起が係合してスライド可能なカム溝が形成されているので、上部カバーに連結された下部カバーをカム溝に沿って上下動させることができる。そのために、給紙トレイを開口部に挿入する動作に連動して上部と下部のカバーをスムーズにくの字状に折り畳んで、給紙トレイを確実に着脱することができる。
【００３７】
また、給紙トレイの先端部には、下部カバーを上部カバー側に押し上げ可能なカム部が形成されているので、給紙トレイを開口部に挿入する動作に連動して下部カバーを押し上げて開口部を確実に開放することができる。
【００３８】
また、給紙トレイを開口部に挿入する動作で、カム部が下部カバーの下端部側を押し上げることにより、下部カバーが弾性部材の付勢力で上方に引っ張られて、上部と下部のカバーがくの字状に折り畳まれるので、給紙トレイを挿入する開口部を確実に開放することができる。
【００３９】
また、給紙トレイを開口部に挿入する動作で、下部カバーの下端部が、付勢部材の付勢力に抗して給紙トレイのカム部に沿って押し上げられて、上部と下部のカバーがくの字状に折り畳まれるようにしたので、給紙トレイを開口部に挿入する動作に連動して、付勢部材の付勢力に抗して、上部と下部のカバーを押し上げて開口部を開放することができる。
【００４０】
また、開口部から本体ケースの内部に挿入した給紙トレイを、本体ケースの外部に排出すると、付勢部材の付勢力で上部と下部のカバーが開口部を閉じるようにしたので、給紙トレイを外部に排出することにより、自動的に開口部を閉じることができ、操作性に優れたプリンタを提供できる。
【００４１】
また上部カバーには、連結部より下部側に延出させて当接部が形成され、この当接部が、下部カバーの連結部とガイド突起との間に当接することにより、上部と下部のカバーが逆くの字状になる方向に弾性付勢されて、開口部が閉じられるようにしたので、上部と下部のカバーは、特別な支持部材がなくても弾性部材または付勢部材の付勢力で開口部を閉じることができ、少ない部品点数で上部と下部のカバーで開口部を閉じることができる。
【図面の簡単な説明】
【図１】本発明の第１の実施の形態に係わるカバーの動作を説明する要部断面図である
【図２】本発明の第１の実施の形態に係わるカバーの動作を説明する要部断面図である。
【図３】本発明の第１の実施の形態に係わる給紙トレイを装着前のプリンタを示す概略図である。
【図４】図３の要部断面図である。
【図５】本発明の第１の実施の形態に係わる給紙トレイを装着したプリンタを示す概略図である。
【図６】図５の要部断面図である。
【図７】従来のプリンタに給紙トレイを着脱する動作を説明する概略図である。
【符号の説明】
１  本体ケース
１ａ  第１側板
１ｂ  開放部
１ｃ  第２側板
１ｄ  第３側板
２  開口部
３  カバー
４  上部カバー
４ａ  回動支持部
４ｂ  連結部
４ｃ  壁部
４ｄ  当接部
５  下部カバー
５ａ  連結部
５ｂ  連結ピン
５ｃ  ガイド突起
５ｄ  壁部
６  カム溝
７  弾性部材
８  給紙トレイ
９  ケース
９ａ  カム部
【図１】
2005029282.tif 000003
【図２】
2005029282.tif 000004
【図３】
2005029282.tif 000005
【図４】
2005029282.tif 000006
【図５】
2005029282.tif 000007
【図６】
2005029282.tif 000008
【図７】
2005029282.tif 000009